(57)【要約】      （修正有）【課題】結婚披露宴、誕生日パーティ、記念パーティ、同窓会などのイベントに用いられ、ゲスト全員が楽しめて参加できるイベントサービスシステムを提供する。【解決手段】インターネット１０を利用し、表示装置１１に映像を表示するイベントサービスシステム１であって、参加者端末４０は、参加者がウエブサイト２１ａを利用するためにログインする参加者ログイン手段４１と、対象物を撮像する撮像手段４２と、ウエブサイト２１ａに撮像した映像を送信する送信手段４４とを備える。撮像した映像は、送信手段４４によりインターネット経由で送信され、ウエブサイト２１ａのアプリケーションにより表示装置１１に複数同時に表示可能である。【選択図】図２
2017117137.tif 000002
【特許請求の範囲】
【請求項１】
インターネットを利用し、表示装置に映像を表示するイベントサービスシステムであって、
前記インターネットに接続されたサーバ装置を管理するサーバ管理者端末と、
イベント運営者が利用し、前記インターネットに接続されるイベント運営端末と、
イベントの参加者が利用し、前記インターネットに接続される参加者端末とを備え、
前記サーバ装置は、
前記参加者端末から送られる映像を前記表示装置に複数同時に表示できるアプリケーションを有するウエブサイトを備え、
前記イベント運営者端末は、
前記ウエブサイトを利用するためにイベント運営者を登録するイベント運営者登録手段と、
イベント運営者が前記ウエブサイトを利用するためにログインするイベント運営者ログイン手段とを備え、
前記参加者端末は、
参加者が前記ウエブサイトを利用するためにログインする参加者ログイン手段と、
対象物を撮像する撮像手段と、
前記ウエブサイトに撮像した映像を送信する送信手段とを備え、
前記撮像した映像は、前記送信手段により前記インターネット経由で送信され、前記ウエブサイトのアプリケーションにより前記表示装置に複数同時に表示可能に構成したことを特徴とするイベントサービスシステム。
【請求項２】
前記サーバ管理者端末は、
前記アプリケーションが起動する期間を設定する起動期間設定手段を備え、
前記起動する期間に、前記イベント運営者端末からログインすることで前記アプリケーションが起動し、
前記起動する期間が経過すると起動停止し、
前記起動する期間から所定日時経過後に前記アプリケーションが自動的に削除されることを特徴とする請求項１に記載のイベントサービスシステム。
【請求項３】
前記参加者端末は、
メッセージ情報を作成するメッセージ情報作成手段を備え、
前記作成したメッセージ情報は、前記送信手段により前記インターネット経由で送信されることを特徴とする請求項１に記載のイベントサービスシステム。
【請求項４】
前記イベント運営者端末は、
前記参加者端末から送られる映像を記憶する記憶手段と、
前記記憶手段に記憶された映像を出力する出力手段を有することを特徴とする請求項１に記載のイベントサービスシステム。
【請求項５】
前記イベントは、
結婚披露宴であり、
前記ウエブサイトのアプリケーションは、
前記表示装置に結婚式で撮像した映像を表示し、この結婚式の映像に結婚披露宴で撮像される映像も随時に追加され、複数同時に表示可能であることを特徴とする請求項１乃至請求項４のいずれか１項に記載のイベントサービスシステム。
【請求項６】
前記映像は、前記参加者端末で撮像された静止画像、動画を含むことを特徴とする請求項１乃至請求項５のいずれか１項に記載のイベントサービスシステム。
【発明の詳細な説明】
【技術分野】
【０００１】
この発明は、結婚披露宴、誕生日パーティ、記念パーティ、同窓会などのイベントに用いられるイベントサービスシステムに関する。
【背景技術】
【０００２】
インターネットを利用したシステムとして、例えば、結婚式サービスシステムがあり、このシステムは、新郎新婦、結婚式・披露宴出席予定者、結婚式・披露宴に出席しない知人等及び二次会幹事との間をインターネット上のソーシャルネットワーキングサービスを通じて情報の閲覧及び交換をするものである  （特許文献１）。
【０００３】
また、冠婚葬祭などでは、会場を確保し、親族や親しい人などを客として招待して式（イベント）を催すのが一般的であるが、式に招待されなかった人や、その式に招待されても事情により出席できない人は、式の当日に電報を打ったり、後日、式の様子を録画したビデオテープなどを再生して見るようなことしかできなかったため、中継放送するシステムが提供されている（特許文献２）。
【先行技術文献】
【特許文献】
【０００４】
【特許文献１】特開２０１４−１０５２５号公報
【特許文献２】特開２００２−２４４３１号公報
【発明の概要】
【発明が解決しようとする課題】
【０００５】
このように、インターネットを利用した結婚式サービスシステムやイベントを中継放送するシステムなどがあるが、昨今の傾向としては、例えば結婚式から結婚披露宴までゲストが参加者として関わり、幸せをシェアするニーズと場面が増えてきている。ゲストと一緒に楽しみたい、満足して帰ってもらいたい、という新郎新婦の要望が非常に高まってきている中、より奇抜性とオリジナリティあるゲスト参加型演出が求められている。
【０００６】
この発明は、このような実情に鑑みてなされたもので、ゲスト全員が楽しめて参加できるインターネットを利用したイベントサービスシステムを提供することを目的とする。
【課題を解決するための手段】
【０００７】
前記課題を解決し、かつ目的を達成するために、この発明は、以下のように構成した。
【０００８】
請求項１に記載の発明は、インターネットを利用し、表示装置に映像を表示するイベントサービスシステムであって、
前記インターネットに接続されたサーバ装置を管理するサーバ管理者端末と、
イベント運営者が利用し、前記インターネットに接続されるイベント運営端末と、
イベントの参加者が利用し、前記インターネットに接続される参加者端末とを備え、
前記サーバ装置は、
前記参加者端末から送られる映像を前記表示装置に複数同時に表示できるアプリケーションを有するウエブサイトを備え、
前記イベント運営者端末は、
前記ウエブサイトを利用するためにイベント運営者を登録するイベント運営者登録手段と、
イベント運営者が前記ウエブサイトを利用するためにログインするイベント運営者ログイン手段とを備え、
前記参加者端末は、
参加者が前記ウエブサイトを利用するためにログインする参加者ログイン手段と、
対象物を撮像する撮像手段と、
前記ウエブサイトに撮像した映像を送信する送信手段とを備え、
前記撮像した映像は、前記送信手段により前記インターネット経由で送信され、前記ウエブサイトのアプリケーションにより前記表示装置に複数同時に表示可能に構成したことを特徴とするイベントサービスシステムである。
【０００９】
請求項２に記載の発明は、前記サーバ管理者端末は、
前記アプリケーションが起動する期間を設定する起動期間設定手段を備え、
前記起動する期間に、前記イベント運営者端末からログインすることで前記アプリケーションが起動し、
前記起動する期間が経過すると起動停止し、
前記起動する期間から所定日時経過後に前記アプリケーションが自動的に削除されることを特徴とする請求項１に記載のイベントサービスシステムである。
【００１０】
請求項３に記載の発明は、前記参加者端末は、
メッセージ情報を作成するメッセージ情報作成手段を備え、
前記作成したメッセージ情報は、前記送信手段により前記インターネット経由で送信されることを特徴とする請求項１に記載のイベントサービスシステムである。
【００１１】
請求項４に記載の発明は、前記イベント運営者端末は、
前記参加者端末から送られる映像を記憶する記憶手段と、
前記記憶手段に記憶された映像を出力する出力手段を有することを特徴とする請求項１に記載のイベントサービスシステムである。
【００１２】
請求項５に記載の発明は、前記イベントは、
結婚披露宴であり、
前記ウエブサイトのアプリケーションは、
前記表示装置に結婚式で撮像した映像を表示し、この結婚式の映像に結婚披露宴で撮像される映像も随時に追加され、複数同時に表示可能であることを特徴とする請求項１乃至請求項４のいずれか１項に記載のイベントサービスシステムである。
【００１３】
請求項６に記載の発明は、前記映像は、前記参加者端末で撮像された静止画像、動画を含むことを特徴とする請求項１乃至請求項５のいずれか１項に記載のイベントサービスシステムである。
【発明の効果】
【００１４】
前記構成により、この発明は、以下のような効果を有する。
【００１５】
請求項１乃至請求項６に記載の発明では、参加者端末で撮像された映像を送信手段によりインターネット経由で送信し、ウエブサイトのアプリケーションにより表示装置に複数同時に表示することで、イベントに参加した参加者全員がすぐその場で映像を楽しむことができ、意外性と奇抜性がある演出が可能で、しかも参加者が誰でも撮像し、投稿でき、オリジナリティあるイベントが実現できる。また、参加者端末から送られる映像を記憶して保存し、この記憶された種々の映像を出力することで、保存されたすべての映像を例えば写真として確実に参加者に送ることができる。
【図面の簡単な説明】
【００１６】
【図１】イベントサービスシステムの概略図である。
【図２】イベントサービスシステムの構成図である。
【図３】ウエブサイトの基本構成図である。
【図４】ウエブサイトのログイン・ユーザー登録詳細構成図である
【図５】ウエブサイトのデモ詳細構成図である。
【図６】ウエブサイトのスライドシー詳細構成図である。
【図７】ウエブサイトの設定詳細構成図である。
【図８】ウエブサイトの画像管理／アルバムページ詳細構成図である。
【図９】アプリケーションの基本構成図である。
【図１０】アプリケーションのログイン構成図である。
【図１１】アプリケーションの画像アップロード構成図である。
【図１２】アプリケーションの画像一覧構成図である。
【図１３】アプリケーションのメッセージアップロード構成図である。
【図１４】アプリケーションのメッセージ一覧構成図である。
【図１５】アプリケーションの設定構成図である。
【図１６】初回立ち上げを示す図である。
【図１７】撮影モードを示す図である。
【図１８】メッセージ送信を示す図である。
【図１９】設定を示す図である。
【発明を実施するための形態】
【００１７】
以下、この発明のイベントサービスシステムの実施の形態について説明する。この発明の実施の形態は、発明の最も好ましい形態を示すものであり、この発明はこれに限定されない。この実施の形態では、イベントとして結婚披露宴に用いられるイベントサービスシステムについて説明するが、誕生日パーティ、記念パーティ、同窓会などのイベントにも用いることができる。
【００１８】
（イベントサービスシステムの構成）
この実施の形態のイベントサービスシステムの構成を、図１及び図２に基づいて説明する。図１はイベントサービスシステムの概略図、図２はイベントサービスシステムの構成図である。この実施の形態のイベントサービスシステム１は、インターネット１０を利用し、表示装置１１に映像を表示するシステムである。インターネット１０には、サーバ管理者端末２０、イベント運営者端末３０、参加者端末４０が接続され、相互に通信可能に構成される。表示装置１１は、例えば大型の液晶モニタ、液晶ディスプレイなど周知のものが用いられる。
【００１９】
（サーバ管理者端末）
サーバ管理者端末２０は、インターネット１０に接続されたサーバ装置２１を管理する端末である。サーバ装置２１は、参加者端末４０から送られる映像を表示装置１１に複数同時に表示できるアプリケーションを有するウエブサイト２１ａを備える。アプリケーションは、画像、プログラム、デザインフレーム、図形、文字、ロゴなどのフレームを含み、映像に、編集されたメッセージの文字情報、デザイン、図形、ロゴなどを付加して表示装置１１に表示可能にする。映像は、参加者端末４０で撮像される静止画像、動画を含む。また、サーバ管理者端末２０は、アプリケーション２１ａが起動する期間を設定する起動期間設定手段２２を備える。
【００２０】
（イベント運営者端末）
イベント運営者端末３０は、イベント運営者が利用し、インターネット１０に接続される端末である。イベント運営者端末３０は、ウエブサイト２１ａを利用するためにイベント運営者を登録するイベント運営者登録手段３１と、イベント運営者がウエブサイト２１ａを利用するためにログインするイベント運営者ログイン手段３２とを備える。イベント運営者端末３０は、起動期間設定手段２２により設定された起動する期間にログインすることでアプリケーション２１ａが起動し、起動する期間が経過すると起動停止し、起動する期間から所定日時経過後にアプリケーション２１ａが自動的に削除される。
【００２１】
また、イベント運営者端末３０は、参加者端末４０から送られる映像を記憶する記憶手段３３と、記憶手段３３に記憶された映像を出力する出力手段３４を有する。出力手段３４は、モニタなどの映像表示装置、紙に印字するプリンタなどが用いられる。
【００２２】
（参加者端末）
参加者端末４０は、イベントの参加者が利用し、インターネットに接続される端末であり、例えばスマートフォンを用いる。この参加者端末４０は、参加者がウエブサイト２１ａを利用するためにログインする参加者ログイン手段４１と、対象物を撮像する撮像手段４２と、メッセージ情報を作成するメッセージ情報作成手段４３と、ウエブサイト２１ａにログインして撮像した映像を送信する送信手段４４とを備える。参加者ログイン手段４１は、ウエブサイト２１ａにおいて専用のＱＲコード(登録商標)を読み込ますことによりログインしてウエブサイト２１ａのアプリケーションをインストールする。撮像手段４２は、カメラ機能において、静止画モードと動画モードを選択可能であり、静止画モードで静止画像を撮像し、動画モードで動画を撮像する。コメント情報作成手段４３は、アプリケーションにおいて画像、プログラム、デザインフレーム、図形、文字、ロゴなどのフレームを用いてメッセージ情報を作成することができる。送信手段４４は、参加者端末４０で撮像された映像、作成されたコメント情報をインターネット経由で送信し、ウエブサイト２１ａのアプリケーションにより表示装置１１に複数同時に表示可能に構成されている。
【００２３】
この実施の形態のイベントは、結婚披露宴であり、参加者端末４０で撮像された映像を送信手段４４によりインターネット経由で送信し、ウエブサイト２１ａのアプリケーションは、表示装置１１に結婚式で撮像した映像を表示し、この結婚式の映像に結婚披露宴で撮像される映像も随時に追加され、複数同時に表示可能である。
【００２４】
このイベントサービスシステム１では、イベントに参加した参加者全員がすぐその場で映像を楽しむことができ、意外性と奇抜性がある演出が可能で、しかも参加者が誰でも撮像し、投稿でき、オリジナリティあるイベントが実現できる。また、参加者端末から送られる映像を記憶して保存し、この記憶された種々の映像を出力することで、保存されたすべての映像、写真、あるいは編集してアルバムにして確実に参加者に送ることができる。
【００２５】
この実施の形態のイベントサービスシステム１は、ゲスト参加型の映像演出、リアルタイム投稿、ゲスト側の操作が簡単、専用ＰＣやＷｉＦｉルーターが不要、ＰＣ操作の簡素化、コメントの配信、写真の共有、スライドショー動画の共有、ＴＰＯ：（Ｔｉｍｅ（時間）、Ｐｌａｃｅ（場所）、Ｏｃｃａｓｉｏｎ（場合）に合わせたスライドデザイン選択などの利点を有する。
【００２６】
［ゲスト参加型の映像演出］
参加したゲスト全員が参加しながら、スマートフォンを用いて映像を作り上げていける革新的な演出ができ、イベントを盛り上げることができる。
【００２７】
［リアルタイム投稿］
例えば、結婚式で撮り貯めた静止画像を、後の結婚披露宴会場でモニタにスライドショーとなって投影され、また結婚披露宴で撮像した映像も随時スライドショーに追加することができる。
【００２８】
［ゲスト側の操作が簡単］
スマートフォンを用いて、提供されたウエブサイトにおいて専用のＱＲコード（登録商標）を読み込ますことにより、ログインしてアプリケーションをインストールし、アプリケーションにおいて撮影すると同時に送信動作が行われる。例えば、イベント終了後には、アプリケーションが自動的に削除される。
【００２９】
［専用ＰＣやＷｉＦｉルーターが不要］
イベント運営者端末のＰＣ、参加者端末のスマートフォンは、インターネット回線を利用し、携帯電話は各社のＷｅｂ回線を利用するため、一般的なＷｅｂ環境が整えば動作が可能である。
【００３０】
［ＰＣ操作の簡素化］
ウエブサイトは、アプリケーションが起動する期間が設定されており、この起動期間の指定日に、イベント運営者端末では、ウエブサイトの専用ページよりログインすることでソフトが起動する。ソフトが起動している間は、リアルタイムスライドショーが動作するので、専門的な知識が無くても、操作は容易である。
【００３１】
［コメントの配信］
映像と同時に撮影者によるコメントも配信できる（選択可）。
【００３２】
［写真の共有］
イベント後に投影（システムに転送された映像）されたすべての写真が共有できる。
【００３３】
例えば、保存されたすべての映像は、確実に新郎新婦の手元に届くようにすることができる。すなわち、ＤＶＤパッケージとする。同じく保存された映像をすべてＷｅｂアルバムへ掲載することで、ゲスト全員にも閲覧及びダウンロードが可能となる。
【００３４】
［スライドショー動画の共有］
投影タイミングの有無に関わらず、開催期間中に構成されたスライドショーは動画として保存され、ＤＶＤに保存することができる。
【００３５】
［ＴＰＯに合わせたスライドデザイン選択］
アプリケーションにおいて、ＴＰＯに合わせたスライドデザインが選べる。また、スライドショーテンプレートが複数用意されているため、例えば和洋結婚式会場の雰囲気にマッチングできる。また、冠婚以外のシーンにおいても各種イベントのシーンに合わせたデザインで演出できる。
【００３６】
（ウエブサイトの構成）
この実施の形態のウエブサイトの構成を、図３乃至図８に基づいて説明する。図３はウエブサイトの基本構成図、図４はウエブサイトのログイン・ユーザー登録詳細構成図、図５はウエブサイトのデモ詳細構成図、図６はウエブサイトのスライドシー詳細構成図、図７はウエブサイトの設定詳細構成図、図８はウエブサイトの画像管理／アルバムページ詳細構成図である。
【００３７】
［ウエブサイトの基本構成］
この実施の形態のウエブサイトの基本構成を、図３に基づいて説明する。ウエブサイトは、ログイン・ユーザー登録ペイジ１００、デモペイジ２００、アプリケーションペイジ３００を有する。ログイン・ユーザー登録ペイジ１００は、ログイン画面１１０とユーザー登録画面１２０を有する。イベント運営者がログイン画面１１０のトップ画面１１１からログイン１１２する。また、イベント運営者がトップ画面１１１からユーザー登録画面１２０の問い合わせ画面１２１、クレジットカード情報入力画面１２２、確認画面１２３、サンクス画面１２４を実行し、ユーザー登録ボタン１２５をクリックしてユーザー登録する。
【００３８】
デモペイジ２００では、イベント運営者が紹介／デモ画面２１０、デモスライドショー画面２１１を実行し、アプリケーションのダウンロードを行い、デモアカウント利用２１２が可能である。
【００３９】
アプリケーションペイジ３００では、イベント運営者がトップ画面１１１からログイン１１２してユーザートップ画面３１０が表示される。ユーザートップ画面３１０は、暗証番号表画面３２０、スライドショー画面３３０、設定画面３４０、画像管理画面／アルバムページ画面３５０、買い物カタログ画面３６０を有する。暗証番号表画面３２０では、参加者のゲストが暗証番号からログイン３２１する。設定画面３４０では、イベント運営者がアプリケーションを起動する期間の設定変更３４１を行う。画像管理画面／アルバムページ画面３５０では、画像やアルバムの登録、編集、削除を行ない、例えば日記やメッセージなどを通じて友人や知人・共通の趣味を持つ人達とインターネット上で繋がるＳＮＳ（Ｓｏｃｉａｌ  Ｎｅｔｗｏｒｋ  Ｓｅｒｖｉｃｅ３５１に共有可能である。買い物カタログ画面３６０では、イベント運営者が映像を保存したＤＶＤなどを購入３６１する。
【００４０】
この実施の形態のログイン・ユーザー登録ペイジ１００は、図４に示す構成であり、ログイン画面１１０とユーザー登録画面１２０を有する。ログイン画面１１０は、トップ画面１１１からログイン１１２し、トップページ内でログインポップアップ画面１１３が表示され、イベント運営者であるユーザーがメールアドレスとパスワード１１４を入力し、ログイントップ画面１１５が表示されて終了する。
【００４１】
ユーザー登録画面１２０では、ウエブ登録有りの場合は、イベント運営者が問い合わせ画面１２１、情報入力画面１２１ａ、クレジットカード情報入力画面１２２、確認画面１２３、サンクス画面１２４を実行し、ユーザー登録１２５する。一方、ウエブ登録無しの場合は、手作業でユーザー登録とメール送信となる。まず、リンク入りメール送信１２６し、リンククリック１２７し、パスワード入力画面１２８を開き、パスワード１２９、パスワード確認１３０、登録１３１し、ログイントップ画面１３２を開き終了する。
【００４２】
［ウエブサイトのデモ詳細構成］
この実施の形態のデモペイジ２００は、図５に示す構成である。トップ画面２１０ａから紹介／デモ画面２１０を開き、紹介／デモ画面２１０において、紹介を選択してアプリダウンロード画面２１２を開き、アプリダウンロード２１３を行い、アプリケーションを開く２１４ことで実行可能になる。アプリケーションのログイン画面２１５で、暗証番号２１６を入力し、画像アップロード２１７を行う。紹介／デモ画面２１０において、デモを選択してデモスライドショー画面２１１を開き、画像アップロード２１７からリアルタイムアップロードされる。デモアカウントの利用可能期間は、デモスライドショー画面２１１が開いてから閉じるまでである。デモスライドショー画面２１１内で暗証番号表示ポップアップ画面２１８が表示され、ユーザーが暗証番号を入力２１６し、画像アップロード２１７を行うことで、アプリケーションが実行可能になる。
【００４３】
［ウエブサイトのスライドシー詳細構成］
この実施の形態のスライドシー３３０は、図６に示す構成であり、ログインするとログイントップ画面３３１からスライドショー画面３３２を表示する。このスライドショー画面３３２では、画面とメッセージ両方を表示する。アルゴリズムは、例えば最新の静止画像５０枚をスライドショーに回す。まだ、一度も表示されていない静止画像は、第１に次の機会に表示（まだスタートしていない場合）、第２にアップされた時点に表示（リアルタイム）、第３に複数枚の静止画像の場合、アップされた順番にする。スライドショー画面３３２において、ポーズ／スタート３３３をクリックし、選択して静止画像の表示の停止と複数枚の静止画像のスライドショーをスタートさせる。また、全画面表示／全画面表示から戻る３３４をクリックし、選択して全画面表示と全画面表示から戻る表示を実行する。
【００４４】
［ウエブサイトの設定詳細構成］
この実施の形態のウエブサイトの設定３４０は、図７に示す構成であり、ログインするとログイントップ画面３４２から設定画面３４３を表示する。この設定画面３４３で設定変更３４１を実行する。例えば新婚カップルの名前を入力３４１ａする。また、シェアするときのため皆さんへのメッセージを入力３４１ｂし、プロフィール画像を入力３４１ｃする。また、テーマ選択３４１ｄを行い、アルバムページ画面において、プライバシー設定、シェア機能有り／無し３４１ｅを行う。
【００４５】
［ウエブサイトの画像管理／アルバムページ詳細構成］
この実施の形態のウエブサイトの画像管理／アルバムページ３５０は、図８に示す構成であり、ログインするとログイントップ画面３５２から画像管理画面３５３を表示する。ログインしたユーザーでない場合は、画像管理画面３５３が「アルバムページ」となる。ウエブサイトの画像管理／アルバムページの存続期間は、例えば１週間である。画像管理画面３５３において、ウエブサイトのアドミニ（管理人）が画像アップロード３５４、画像選択３５５を行い、データベース３５６に保存する。また、画像管理画面３５３において、画像選択３５７し、この選択した単一または複数の画像を、ダウンロード３５８してイベント運営者端末のパソコン３５９に保存する。また、ウエブサイトのアドミニ（管理人）は、選択した単一または複数の画像を削除３６０のクリックによってデータベース３６１から削除する。画像やアルバムの登録、編集、削除３５１は、選択した単一または複数の画像を、Ｆａｃｅｂｏｏｋ３６２、Ｔｗｉｔｔｅｒ３６３、Ｌｉｎｅ３６４にシェアし、ＳＮＳ（ソーシャルネットワーキングサービス）のページの中においてウエブサイト３６５を開き、アプリケーション内の投稿入力画面３６６において投稿入力３６７し、登録３６８し、画像管理画面３５３に戻る。アプリケーション内での投稿入力は、アルバムページのリンクが自動的に入っており、リンク画像と内容は、例えば新婚カップルのカバーフォトと設定した内容を利用する。
【００４６】
（アプリケーションの構成）
この実施の形態のアプリケーションの構成を、図９乃至図１５に基づいて説明する。図９はアプリケーションの基本構成図、図１０はアプリケーションのログイン構成図、図１１はアプリケーションの画像アップロード構成図、図１２はアプリケーションの画像一覧構成図、図１３はアプリケーションのメッセージアップロード構成図、図１４はアプリケーションのメッセージ一覧構成図、図１５はアプリケーションの設定構成図である。
【００４７】
［アプリケーションの基本構成］
この実施の形態のアプリケーション４００の基本構成は、図９に示す構成である。参加者端末のスマートフォンにおいて、ウエブサイトのトップ画面１１１でリンク４１０し、二次元バーコードのＱＲコード（登録商標）４１１を読み取り、アプリケーションをダウンロード４１２し、アプリケーション４１３を開く。ログイン画面４１４から暗証番号でログイン４１５し、あだ名入力画面４１６から新婚カップルウェルカム画面４１７を表示する。あだ名入力画面４１６からの表示は、初めてログインするときであり、一度ログインした場合には、アプリケーションを開き４１３、自動ログイン４１８して新婚カップルウェルカム画面４１７を表示する。この新婚カップルウェルカム画面４１７において、画像アップロード、メッセージアップロード、設定を行う。画像アップロードは、画像をアップロード４２０し、画像一覧画面４２１に表示し、画像の登録、編集、削除４２２を行う。メッセージアップロードは、メッセージを取込４３０、メッセージ一覧画面４３１に表示し、メッセージの登録、編集、削除４３２を行う。設定は、設定を入力４４０し、設定画面４４１に表示し、設定変更、ログアウト４４２を行う。
【００４８】
［アプリケーションのログイン構成］
この実施の形態のアプリケーション４００のログイン構成は、図１０に示す構成であり、参加者端末のスマートフォンにおいて、図９の説明と同様にしてアプリケーションをダウンロード４１２し、アプリケーション４１３を開く。ログイントップ画面４１４から暗証番号を入力４１５ａし、この暗証番号を登録４１５ｂしてログインし、あだ名入力画面４１６を表示する。ログインが失敗であると、ログイントップ画面４１４から暗証番号の入力を繰り返し、ログインすると、あだ名入力画面４１６を表示する。あだ名入力画面４１６において、あだ名を入力４１６ａし、登録４１６ｂして新婚カップルウェルカム画面４１７を表示する。このアプリケーションを開き４１３、すでにログインしていると新婚カップルウェルカム画面４１７を表示し、またログイントップ画面４１４を表示し、すでにあだ名を登録４１５ｂしていると新婚カップルウェルカム画面４１７を表示する。
【００４９】
［アプリケーションの画像アップロード構成］
この実施の形態のアプリケーションの画像アップロードは、図１１に示す構成である。画像アップロード４２０を行い、撮影画面４２０ａを表示してフォトライブラリ４２０ｂから参加者端末のスマートフォンであるｉＰｈｏｎｅ、ａｎｄｒｏｉｄ自体の機能でフォトライブラリ画面４２０ｃを表示し、画像選択４２０ｄ、登録４２０ｅを行い、画像編集画面４２０ｆを表示する。また、撮影画面４２０ａを表示して参加者端末のスマートフォンで写真４２０ｇを撮り、画像編集画面４２０ｆを表示する。画像編集画面４２０ｆでは、やり直し４２０ｈをクリックして撮影画面４２０ａに戻る。また、画像編集画面４２０ｆでは、フィルター４２０ｉを通して画像編集を行い、またアプリケーションに保存４２０ｊとスマートフォンに保存４２０ｋする。また、画像編集画面４２０ｆでは、アップロード４２０ｌして画像一覧画面４２１を表示するとともに、サーバ装置に保存４２０ｍする。
【００５０】
［アプリケーションの画像一覧構成］
この実施の形態のアプリケーションの画像一覧構成は、図１２に示す構成である。画像一覧画面４２１では、画像選択４２１ａを行い、削除４２１ｂまたは編集４２１ｃを行い、画像編集画面４２１ｄを表示する。画像編集画面４２１ｄでは、完了４２１ｅをクリックし、サーバ装置に保存４２１ｆして画像一覧画面４２１に戻る。画像編集画面４２１ｄでは、フィルター４２１ｇを通して画像編集を行い、保存４２１ｈをクリックしてスマートフォンに保存４２１ｉする。
【００５１】
［アプリケーションのメッセージ編集画面アップロード構成］
この実施の形態のアプリケーションのメッセージアップロードは、図１３に示す構成である。メッセージアップロード４３０を行い、メッセージ入力画面４３０ａを表示し、メッセージ入力４３０ｂを行い、編集４３０ｃしてメッセージ編集画面４３０ｄを表示する。メッセージ編集画面４３０ｄでは、やり直し４３０ｅのクリックでメッセージ入力画面４３０ａに戻る。また、メッセージ編集画面４３０ｄでは、フォント選択４３０ｆ、カラー選択４３０ｇを行い、メッセージ編集画面４３０ｄに戻り、アップロード４３０ｈを行い、メッセージ一覧画面４３１を表示するとともに、サーバ装置に保存４３０ｉする。
【００５２】
［アプリケーションのメッセージ一覧構成］
この実施の形態のアプリケーションのメッセージ一覧は、図１４に示す構成である。メッセージ一覧画面４３１を表示し、メッセージ選択４３１ａを行い、削除４３１ｂしてメッセージ一覧画面４３１に戻る。また、編集４３１ｃしてメッセージ編集画面４３１ｄを表示する。メッセージ編集画面４３１ｄでは、完了４３１ｅをクリックしてメッセージ一覧画面４３１に戻るとともに、サーバ装置に保存４３１ｆする。メッセージ編集画面４３１ｄでは、フォント選択４３１ｇ、カラー選択４３１ｈを行い、メッセージ編集画面４３１ｄに戻る。また、メッセージ編集画面４３１ｄでは、変更４３１ｉをクリックしてメッセージ入力画面４３１ｊを表示する。メッセージ入力画面４３１ｊでは、メッセージ入力４３１ｋを行い、編集４３１ｌしてメッセージ編集画面４３１ｄに戻る。
【００５３】
［アプリケーションの設定構成］
この実施の形態のアプリケーションの設定構成は、図１５に示す構成である。ナビメニューからアカウント設定４４０を行い、アカウント設定画面４４１を表示し、ログアウト４４２ａを行い、ログイン画面４４２ｂを表示する。また、アカウント設定画面４４１では、名前／あだ名４４２ｃを入力し、送信４４２ｄする。このように、アプリケーションの設定変更、ログアウト４４２を行う。
【００５４】
次に、参加者端末のスマートフォンにおいて、アプリケーションをダウンロードし、アプリケーションを開き、アプリケーションを実行する構成を、図１６乃至図１９に基づいて説明する。図１６は初回立ち上げを示す図、図１７は撮影モードを示す図、図１８はメッセージ送信を示す図、図１９は設定を示す図である。
【００５５】
［初回立ち上げの構成］
この実施の形態の初回立ち上げは、図１６に示す構成である。初回立ち上げ画面４００からパスワードを入力し、次に名前／あだ名を入力し、ホーム画面４０１を作成する。
【００５６】
［撮影モードの構成］
この実施の形態の撮影モードは、図１７に示す構成である。撮影画面４１０では、シャッター４１０ａを起動し、カメラで撮像し、ライブラリー４１０ｂをクリックして確認画面４１１に移る。確認画面４１１では、撮像した画像の確認を行い、送信４１１ａをクリックすると送信されるともに、ライブラリーに自動的に保存する。この確認画面４１１で撮像した画像の再編集を行い、また保存が可能である。
【００５７】
［メッセージ送信の構成］
この実施の形態のメッセージ送信は、図１８に示す構成である。編集画面４２０ではメッセージを入力し、編集確認画面４２１に移る。編集確認画面４２１では、フォント、カラーなどを選択して送信する。
【００５８】
［設定の構成］
この実施の形態の設定は、図１９に示す構成である。編集画面４３０では、変更する事項を入力し、確認、ログアウトを行う。
【産業上の利用可能性】
【００５９】
この発明は、結婚披露宴、誕生日パーティ、記念パーティ、同窓会などのイベントに用いられるイベントサービスシステムに適用でき、ゲスト全員が楽しめて参加できる。
【符号の説明】
【００６０】
１  イベントサービスシステム
１０  インターネット
１１  表示装置
２０  サーバ管理者端末
２１  サーバ装置
２１ａ  ウエブサイト
２２  起動期間設定手段
３０  イベント運営者端末
３１  イベント運営者登録手段
３２  イベント運営者ログイン手段
３３  記憶手段
３４  出力手段
４０  参加者端末
４１  参加者ログイン手段
４２  撮像手段
４３  メッセージ情報作成手段
４４  送信手段
【図１】
2017117137.tif 000003
【図２】
2017117137.tif 000004
【図３】
2017117137.tif 000005
【図４】
2017117137.tif 000006
【図５】
2017117137.tif 000007
【図６】
2017117137.tif 000008
【図７】
2017117137.tif 000009
【図８】
2017117137.tif 000010
【図９】
2017117137.tif 000011
【図１０】
2017117137.tif 000012
【図１１】
2017117137.tif 000013
【図１２】
2017117137.tif 000014
【図１３】
2017117137.tif 000015
【図１４】
2017117137.tif 000016
【図１５】
2017117137.tif 000017
【図１６】
2017117137.tif 000018
【図１７】
2017117137.tif 000019
【図１８】
2017117137.tif 000020
【図１９】
2017117137.tif 000021